(57)【要約】【課題】この発明は、水に沈みにくく、魚釣に好適な柔軟性を実現し得、且つ、糸潰れの防止を図り得るようにすることにある。【解決手段】径方向の断面形状が略円形状を有する合成樹脂製のモノフィラメントよりなる糸本体１０の中心部の長手方向に、径方向の断面形状が略六角形形状の中空部１１を設けて構成したものである。【選択図】      図１
2005040100.tif 000002
【特許請求の範囲】
【請求項１】
径方向の断面形状が略円形状を有する合成樹脂製のモノフィラメントよりなる糸本体の中心部の長手方向に、径方向の断面形状が略多角形形状の中空部を設けたことを特徴とする釣り糸。
【請求項２】
前記中空部は、角部が糸本体の外周から略同じ距離を有して設けられることを特徴とする請求項１記載の釣り糸。
【請求項３】
前記中空部は、角部が糸本体の中心部を囲んで周方向に略同じ間隔に設けられていることを特徴とする請求項１又は２記載の釣り糸。
【発明の詳細な説明】
【技術分野】
【０００１】
この発明は、例えばふかせ釣り等の魚釣りに用いるのに好適な釣り糸に関する。
【背景技術】
【０００２】
一般に、釣り糸は、ナイロン等の合成樹脂製のモノフィラメントを用いて形成されている。このような釣り糸には、釣り人から魚釣りの状況等に応じて各種の要望がある。例えば、ふかせ釣りのように糸本体を潮にのせて漂わせるように送り込んで釣りをする場合には、糸本体が沈下してしまうと、それに伴って仕掛けが引き込まれてしまい、狙ったポイントに送り込むことが困難となる。
【０００３】
また、釣り糸は、例えば柔軟性に欠けると、速さの異なる複数の潮の流れに応じて柔軟に歪むことができないため、流れを受けた糸本体が、仕掛けを引きやすく仕掛けを自然に流すことが困難となる。
【０００４】
そこで、最近では、糸本体の沈み速度が遅く、水に浮く釣り糸として、糸本体の中心部に径方向の断面が略円形の中空部を設けた合成樹脂製のモノフィラメントの釣り糸が出現されている（例えば、特許文献１参照。）。
【０００５】
また、このような釣り糸としては、架橋部を介して２つ以上の中空部を、糸本体の長手方向に設けた合成樹脂製のモノフィラメントの釣り糸も出現されている（例えば、特許文献２参照。）。
【特許文献１】特公昭５７−５８１３４号公報
【特許文献２】特開２００１−１６１２３７号公報
【発明の開示】
【発明が解決しようとする課題】
【０００６】
しかしながら、上記特許文献１では、その中空部が断面円形状を有する構造上、半径方向からの力に弱く、中空部が、比較的、簡単に潰れたり、あるいは捩れたりする虞があるため、その取扱いが面倒であるという問題を有する。
【０００７】
また、上記特許文献２では、複数の中空部を架橋部を介して所定の間隔に設ける構成上、その柔軟性が劣り、しかも、その中空部が外周近傍まで形成されて壁間が非常に薄いことで、その表面が簡単に破れたりする虞を有するため、その取扱いが面倒であるという問題を有する。
【０００８】
この発明は上記の事情に鑑みてなされたもので、水に沈みにくく、魚釣に好適な柔軟性を実現し得、且つ、糸潰れの防止を図り得るようにして、取扱い性の向上を図った釣り糸を提供することを目的とする。
【課題を解決するための手段】
【０００９】
この発明は、径方向の断面形状が略円形状を有する合成樹脂製のモノフィラメントよりなる糸本体の中心部の長手方向に、径方向の断面形状が略多角形形状の中空部を設けて釣り糸を構成したものである。
【００１０】
上記構成によれば、糸本体は、中空部により、水に沈みにくい所望の浮力が確保されると共に、所望に柔軟性が確保され、同時に、その中空部が、その角部により所望の強度が確保されて潰れの防止が図れる。
【発明の効果】
【００１１】
この発明によれば、水に沈みにくく、魚釣に好適な柔軟性を実現し得、且つ、糸潰れの防止を図り得るようにして、取扱い性の向上を図った釣り糸を提供することができる。
【発明を実施するための最良の形態】
【００１２】
以下、この発明の実施の形態について、図面を参照して詳細に説明する。
【００１３】
図１は、この発明の一実施の形態に係る釣り糸を示すもので、糸本体１０は、ナイロンやその共重合体等のポリイアミド系樹脂、ポリフッ化ビニリデン等のフッ素系樹脂、ポリエステル系樹脂等の合成樹脂からなるモノフィラメントで形成される。この糸本体１０は、その径方向の断面形状が、水の流れ影響を受けないように円形状（略円形）に形成され、長さ方向（長手方向）に略一定寸法に形成される。但し、糸本体１０の外径の円形状としては、糸本体１０の外径を、長手法方向で若干、径寸法を異ならせた、いわゆるテーパ状も含まれる。
【００１４】
また、糸本体１０には、その中心部に、径方向の断面形状が、略多角形形状、例えば六角形形状の中空部１１が、長手方向に連続して設けられる。この中空部１１は、糸本体の中心部を囲むように該中心部を中心として糸本体の長手方向に延びる帯状の６枚の面１１１が、略６角柱形状に接合された形状を有し、その面１１１の側部で形成される角部１１２の間隔をＬ１とし、角部１１２と糸本体１０の外周部との間隔がＬ２とすると、例えばＬ１＜Ｌ２に設けられる。これにより、糸本体１０は、強度的に十分な壁部か得られて、傷等による外周部の破れ等の破損の防止が図れる。
【００１５】
上記中空部１１は、その対向する角部１１２の間隔Ｌ１が糸本体１０の中心部に対して長手方向に均一的に設けられる。これにより、糸本体１０は、その中空部１１の周方向の強度差が少なく、略均一な強度に設定され、その外周部のどの位置からの外力に対しても、６個の角部１１２の弾性復帰力により糸潰れが規制される。仮に、糸本体１０の一部に力が加わり、中空部１１の一部に潰れが発生してしまった場合にも、その力の付与が解除されると、６個の角部１１２の弾性復帰力により、中空部１１が潰れていない初期状態の略６角柱形状に復帰される。
【００１６】
ここで、上記中空部１１は、その最大幅寸法がその外径部から糸本体１０の外周側までの肉厚寸法より小さくすることで、糸本体１０の外周部の破れ等の破損防止が効果的に図ることができる。
【００１７】
また、上記中空部１１は、空気が充満されることにより、糸本体１０に対して所望の浮力を与えて、水に浮かせる如く作用し、糸本体１０を水に沈みにくく（沈む速さを遅く）する。さらに、中空部１１は、糸本体１０の中心部に連続して設けられていることにより、該糸本体１０に所望の柔軟性を与えて、例えば糸本体１０が潮の流れに応じて柔軟に曲がり、潮の流れの押圧を吸収し、糸本体１０の先端に取り付けられた図示しない仕掛けを引っ張ったりすることのないように作用する。
【００１８】
なお、上記中空部１１は、その内壁に染料等により、所望の色を塗布するようにしてもよい。これにより、糸本体１０が水に浮かんでいる状態において、中空部１１の色に基づいて糸本体１０の状況把握が可能となり、微妙な動きも見逃すことがなくなる。また、糸本体１０を構成する材料を染料、顔料等により着色してもよい。
【００１９】
上記糸本体１０を製造するには、上記中空部１１に対応して例えば図示しないコアーの周囲に６個の開口を設けた紡糸ノズルが用いられる。即ち、この紡糸ノズル（図示せず）の６個の開口から溶融した合成樹脂材料がそれぞれ紡出されると、隣り合う合成樹脂材料同士が接合されて、そのコアーの周囲に上記略六角柱形状の中空部１１が形成される。その後、この紡糸ノズル（図示せず）の開口を通過して接合された合成樹脂材料を、加熱しながら延伸することにより、中空部１１の設けられた糸本体１０が製造される。
【００２０】
上記構成により、上記糸本体１０は、中空部１１に空気が充満されることにより、所望の浮力が付与されて、水中に沈んだりすることなく、水上に浮いた状態に保たれる。同時に、糸本体１０は、その中心部に中空部１１が連続して設けられていることにより、所望の柔軟性が得られて、例えば潮の流れに応じて柔軟に曲がり、潮の流れの押圧を吸収し、その先端に取り付けられた図示しない仕掛けを引っ張ったりすることもなく、自然に任せた所望の釣り形態が可能となる。この際、糸本体１０は、その中心部に設けられた断面略六角形形状の中空部１１の角部１１２の弾性復帰力の作用により、潰れたり、捩れたりするのが防止されて、線状の初期状態が確保される。
【００２１】
このように、上記釣り糸は、径方向の断面形状が略円形状を有する合成樹脂製のモノフィラメントよりなる糸本体１０の中心部の長手方向に、径方向の断面形状が略六角形形状の中空部１１を設けて構成した。
【００２２】
これによれば、糸本体１０は、中空部１１により、水に沈みにくい所望の浮力が確保されると共に、所望に柔軟性が確保され、同時に、その中空部１１が、その角部１１２により所望の強度が確保されて潰れの防止が図れることにより、その魚釣実行時における簡便にして容易な取扱いが実現される。
【００２３】
なお、上記実施の形態では、径方向の断面形状が略円形状の糸本体１０の中心部に対して、径方向の断面形状が略六角形形状の中空部１１を、長手方向に設けるように構成した場合で説明したが、これに限ることなく、その他、例えば図２及び図３に示すように構成しても、略同様の効果を期待することができる。
【００２４】
図２では、径方向の断面形状が略円形状の糸本体１０の中心部に対して、径方向の断面形状が略三角形形状の中空部２１を長手方向に連続して形成するように構成したものである。
【００２５】
また、図３では、径方向の断面形状が略円形状の糸本体３０の中心部に対して、径方向の断面形状が略八角形形状の中空部３１を長手方向に連続して形成するように構成しても略同様の効果が期待される。
【００２６】
なお、上記中空部形状としては、上述したように略多角形形状、特に略正多角形形状が好ましく、３個以上の角部を有する形状であれば同様の効果が期待されるが、糸本体の周方向における強度差を小さくするためには、５個以上の角部を有する形状が好ましい。そして、潰された状態から潰れていない初期状態への復帰を考慮すると、明確な屈曲状の角部を形成する必要があるため角部は８個以下であることが好ましい。
【００２７】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００２８】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００２９】
【図１】この発明の一実施の形態に係る釣り糸の一部を拡大して示した斜視図である。
【図２】この発明の他の実施の形態に係る釣り糸の一部を拡大して示した斜視図である。
【図３】この発明の他の実施の形態に係る釣り糸の一部を拡大して示した斜視図である。
【符号の説明】
【００３０】
１０…糸本体、１１…中空部、１１１…面、１１２…角部、２０，３０…糸本体、２１，３１…中空部。
【図１】
2005040100.tif 000003
【図２】
2005040100.tif 000004
【図３】
2005040100.tif 000005